(57)【特許請求の範囲】
【請求項１】
ブラシレスレゾルバの巻線を構成するマグネットワイヤと信号入出力部との間の電気的接続を行うためのブラシレスレゾルバの絶縁性接続用構造体であって、該絶縁性接続用構造体はかしめ端子用のものであり、そのかしめ端子用穴には、かしめ端子となっている信号入出力部端子、および該マグネットワイヤがともに挿入された状態であることを特徴とする、回転検出器の絶縁性接続用構造体。
【請求項２】
樹脂材料を用いてなるものであることを特徴とする、請求項１に記載の回転検出器の絶縁性接続用構造体。
【請求項３】
ブラシレスレゾルバの巻線を構成するマグネットワイヤと信号入出力部との間の電気的接続が、かしめ端子となっている信号入出力部端子、および該マグネットワイヤをともに絶縁性接続用構造体のかしめ端子用穴に挿入してかしめることによりなされていることを特徴とする、ブラシレスレゾルバ。
【請求項４】
前記絶縁性接続用構造体が、前記ブラシレスレゾルバにおける鉄心の絶縁用部材において設けられていることを特徴とする、請求項３に記載のブラシレスレゾルバ。
【請求項５】
前記絶縁性接続用構造体が、ブラシレスレゾルバのトランス巻線用ボビンにおいて設けられていることを特徴とする、請求項３に記載のブラシレスレゾルバ。
【発明の詳細な説明】
【０００１】
【発明の属する技術分野】
本発明は回転検出器端子およびそれを備えた回転検出器に関し、特に、ブラシレスレゾルバを始めとするレゾルバやシンクロにおいて、電線と信号入出力部における電気的接続を低コスト化、低環境負荷化できる回転検出器端子およびそれを備えた回転検出器に関する。
【０００２】
【従来の技術】
従来、ブラシレスレゾルバを始めとするレゾルバや、シンクロといった回転検出器においては、回転検出器の巻線を構成するマグネットワイヤと信号入出力部との電気的接続は、半田付けによって行われてきた。
【０００３】
【発明が解決しようとする課題】
製造工程において、この半田付け作業は手作業により行われ、しかも技術的な難度も高く、品質の再現性にもばらつきが生じ易かった。したがって、該半田付け工程は回転検出器製造の全工程中における最大加工工数部分であり、製造コスト低減の最大の障害となっていた。特に、極細線を用いるレゾルバの製造工程において、係る半田付けによる電気的接続作業の改善が強く求められていた。
【０００４】
さらに、半田付けで使用する半田は、多く鉛、スズといった環境負荷の大きい重金属を含有しており、環境を悪化させる一要因であるため、その使用は問題視されている現状である。したがって、上述の低コスト化の要請とも相まって、半田付けに替わる電気的接続方法の開発が求められていた。
【０００５】
本発明の課題は、回転検出器のマグネットワイヤと信号入出力部との電気的接続において、半田付けを用いない、低コストかつ低環境負荷の接続方法、およびそのような接続による回転検出器を提供することである。
【０００６】
【課題を解決するための手段】
本願発明者が鋭意検討した結果、マグネットワイヤと信号入出力部との電気的接続をかしめ端子により行うことによって、上記課題を解決できることを見出し、本発明に至った。すなわち、本願において特許請求される発明、もしくは少なくとも開示される発明は以下のとおりである。
【０００７】
（Ｉ）  ブラシレスレゾルバの巻線を構成するマグネットワイヤと信号入出力部との間の電気的接続を行うためのブラシレスレゾルバの絶縁性接続用構造体であって、該絶縁性接続用構造体はかしめ端子用のものであり、そのかしめ端子用穴には、かしめ端子となっている信号入出力部端子、および該マグネットワイヤがともに挿入された状態であることを特徴とする、回転検出器の絶縁性接続用構造体。
（ＩＩ）  樹脂材料を用いてなるものであることを特徴とする、（Ｉ）に記載の回転検出器の絶縁性接続用構造体。
（ＩＩＩ）  ブラシレスレゾルバの巻線を構成するマグネットワイヤと信号入出力部との間の電気的接続が、かしめ端子となっている信号入出力部端子、および該マグネットワイヤをともに絶縁性接続用構造体のかしめ端子用穴に挿入してかしめることによりなされていることを特徴とする、ブラシレスレゾルバ。
（ＩＶ）  前記絶縁性接続用構造体が、前記ブラシレスレゾルバにおける鉄心の絶縁用部材において設けられていることを特徴とする、（ＩＩＩ）に記載のブラシレスレゾルバ。
（Ｖ）  前記絶縁性接続用構造体が、ブラシレスレゾルバのトランス巻線用ボビンにおいて設けられていることを特徴とする、（ＩＩＩ）に記載のブラシレスレゾルバ。
【０００８】
（１）回転検出器の電線と信号入出力部との間の電気的接続を行うための回転検出器端子であって、該回転検出器端子がかしめ端子となっていることを特徴とする、回転検出器端子。
（２）前記電線が、少なくともマグネットワイヤを含むものであることを特徴とする、（１）の回転検出器端子。
【０００９】
（３）前記回転検出器端子が、前記電線が挿入され、前記回転検出器端子および該電線がかしめられて電気的接続を得るための絶縁性接続用構造体を一体に備えたものであることを特徴とする、（１）または（２）の回転検出器端子。
【００１０】
（４）前記絶縁性接続用構造体が、樹脂材料を用いるものであることを特徴とする、（３）の回転検出器端子。
【００１１】
（５）回転検出器が、前記電線が挿入され、前記回転検出器端子および該電線がかしめられて電気的接続を得るための絶縁性接続手段と、（１）ないし（４）のいずれかの回転検出器端子とを備えていることを特徴とする、回転検出器。
【００１２】
（６）前記絶縁性接続手段が、前記回転検出器における鉄心の絶縁用部材において絶縁性接続用構造として設けられていることを特徴とする、（５）の回転検出器。
【００１３】
（７）前記絶縁性接続手段が、樹脂材料を用いるものであることを特徴とする、（５）または（６）の回転検出器。
【００１４】
（８）前記回転検出器がブラシレスの回転検出器であって、前記絶縁性接続手段が、回転検出器トランス巻線用ボビンにおいても絶縁性接続用構造として設けられていることを特徴とする、（５）ないし（７）のいずれかの回転検出器。
【００１５】
すなわち本発明は、コスト低減および環境負荷低減を図るために、回転検出器のマグネットワイヤと信号入出力部との電気的接続において、かしめ端子を用いることとしたものである。つまり、回転検出器の入出力部端子をかしめ端子とする。さらに、マグネットワイヤ等とかしめ端子を挿入してかしめ、電気的接続を得るための絶縁性接続用構造体を、回転検出器鉄心の絶縁用部材やトランス巻線用ボビンに設けることにより、マグネットワイヤ等と信号入出力部との電気的接続の利便性を高めることができる。また、入出力部端子を、該絶縁性接続用構造体を一体に備えたかしめ端子とすることによって、かしめ接続における接続の作業を簡単にすることができ、これにより電気的接続の利便性を高めることもできる。
【００１６】
【発明の実施の形態】
以下、ブラシレスレゾルバを例にして、本発明を図面により詳細に説明する。
図１は、本発明の回転検出器端子の実施形態を示す側面方向の半断面図である。図において本発明の回転検出器端子１は信号入出力部の端子であって、かしめ端子となっている。図において該回転検出器端子１は、絶縁性接続用構造体であるかしめ端子用穴付き絶縁物３の、かしめ端子用穴４に挿入され、回転検出器のマグネットワイヤ２もまた該かしめ端子用穴付き絶縁物３のかしめ端子用穴４にともに挿入され、該回転検出器端子１と該マグネットワイヤ２はかしめられて、信号入出力部と巻線側との電気的接続が得られる。
【００１７】
前記回転検出器端子１は、前記かしめ端子用穴付き絶縁物３を一体に備えたものとすることができる。また、該かしめ端子用穴付き絶縁物３には、樹脂材料を用いることができる。これにより、上述の通りかしめ接続における接続の作業を簡単にすることができ、電気的接続の利便性を高めることができる。つまり、マグネットワイヤと信号入出力部とのかしめ接続作業を簡単化することができ、作業効率を向上させ、一層製造コストを低減することができる。
【００１８】
図２は、本発明の回転検出器端子の他の実施形態を示す側面方向の半断面図である。図において本発明の回転検出器端子１は信号入出力部の端子であって、かしめ端子となっている。図において該回転検出器端子１は、絶縁性接続用構造体であるかしめ端子用穴付き絶縁物３の、かしめ端子用穴４に挿入され、回転検出器のマグネットワイヤ２、およびリード線５もまた該かしめ端子用穴付き絶縁物３のかしめ端子用穴４にともに挿入され、該回転検出器端子１と該マグネットワイヤ２、および該リード線５はかしめられて、電気的接続が得られる。
【００１９】
前記回転検出器端子１は、前記かしめ端子用穴付き絶縁物３を一体に備えたものとすることができる。またこの場合、該かしめ端子用穴付き絶縁物３には、樹脂材料を用いることができる。これにより、電気的接続の利便性を高め、作業効率を向上させ、一層製造コストを低減できることは、図１に示す実施形態の回転検出器端子と同様である。
【００２０】
図３は、ブラシレスレゾルバにおいて本発明の回転検出器端子を実施するためにかしめ端子用穴付き絶縁物を組み込んだ鉄心の構成を示す図であり、このうち（ａ）は平面図、（ｂ）は図（ａ）の水平方向中心線による切断面の半断面図、（ｃ）は図（ａ）のかしめ端子用穴付き絶縁物１３が設けられている側から見た側面図である。図において、ブラシレスレゾルバのステータ鉄心１０を収容する絶縁用部材１１には、絶縁性接続用構造体であるかしめ端子用穴付き絶縁物１３が組み込まれている。該絶縁物１３は、樹脂材料により構成することができる。
【００２１】
図３の（ａ）、（ｂ）、および（ｃ）において、かしめ端子用穴付き絶縁物１３が組み込まれたステータ鉄心１０に係るブラシレスレゾルバは、本発明の回転検出器の一例を構成する。本回転検出器は、その製造工程中、マグネットワイヤと信号入出力部との電気的接続において技術的難度が高い半田付けの手作業が不要となり、品質の再現性が向上し、製造コストを低減することができる。
【００２２】
また本回転検出器は、かしめ端子用穴付き絶縁物１３がステータ鉄心１０を収容する絶縁用部材１１に組み込まれているため、マグネットワイヤと信号入出力部とのかしめ接続作業を簡単化することができ、作業効率を向上させ、一層製造コストを低減することができる。
【００２３】
図４は、ブラシレスレゾルバにおいて本発明の回転検出器端子を実施するためのかしめ端子用穴付きトランス巻線用ボビンの構成を示す図であり、このうち（ａ）は平面図、（ｂ）は図（ａ）の水平方向中心線による切断面の半断面図、（ｃ）は図（ａ）のかしめ端子用穴付き絶縁物２３が設けられている側から見た側面図である。図において、ブラシレスレゾルバのトランス巻線用ボビン２１には、絶縁性接続用構造体であるかしめ端子用穴付き絶縁物２３が組み込まれている。該絶縁物２３は、樹脂材料により構成することができる。
【００２４】
図４の（ａ）、（ｂ）、および（ｃ）において、かしめ端子用穴付き絶縁物２３が組み込まれたトランス巻線用ボビン２１に係るブラシレスレゾルバは、本発明の回転検出器の一例を構成する。また、前記かしめ端子用穴付き絶縁物３がステータ鉄心１０に組み込まれ、かつかしめ端子用穴付き絶縁物２３がトランス巻線用ボビン２１に組み込まれたブラシレスレゾルバも、本発明の回転検出器の一例を構成する。本回転検出器は、その製造工程中、マグネットワイヤと信号入出力部との電気的接続において技術的難度が高い半田付けの手作業が不要となり、品質の再現性が向上し、製造コストを低減することができる。
【００２５】
また本回転検出器は、かしめ端子用穴付き絶縁物２３がトランス巻線用ボビン２１に組み込まれているため、マグネットワイヤと信号入出力部とのかしめ接続作業を簡単化することができ、作業効率を向上させ、一層製造コストを低減することができる。
【００２６】
【発明の効果】
本発明の回転検出器端子およびそれを用いた回転検出器は、上述のように構成されているため、回転検出器のマグネットワイヤと信号入出力部との電気的接続を半田付けを用いずに行うことができる。これにより、技術的難度が高い手作業が不要となり、品質の再現性が向上し、製造コストを低減することができる。特に極細線を用いるレゾルバにおいては、製造コスト低減効果が大きい。
【００２７】
また、本発明の回転検出器端子およびそれを用いた回転検出器によれば半田付けが不要となるため、環境への悪影響、負荷を低減することができる。
【００２８】
さらに、かしめ端子用穴付き絶縁物を一体に備えた回転検出器端子、または、かしめ端子用穴付き絶縁物を組み込んだ鉄心、もしくはかしめ端子用穴付き絶縁物が組み込まれたトランス巻線用ボビンを有する回転検出器やレゾルバは、マグネットワイヤと信号入出力部とのかしめ接続作業を簡単化することができ、作業効率を向上させ、一層製造コストを低減することができる。
【図面の簡単な説明】
【図１】  本発明の回転検出器端子の実施形態を示す側面方向の半断面図である。
【図２】  本発明の回転検出器端子の他の実施形態を示す側面方向の半断面図である。
【図３】  ブラシレスレゾルバにおいて本発明の回転検出器端子を実施するためにかしめ端子用穴付き絶縁物を組み込んだ鉄心の、（ａ）は平面図、（ｂ）は半断面図、（ｃ）は側面図である。
【図４】  ブラシレスレゾルバにおいて本発明の回転検出器端子を実施するためのかしめ端子用穴付きトランス巻線用ボビンの、（ａ）は平面図、（ｂ）は半断面図、（ｃ）は側面図である。
【符号の説明】
１…信号入出力部端子、  ２…マグネットワイヤ、  ３、１３、２３…かしめ端子用穴付き絶縁物、  ４…かしめ端子用穴、  ５…リード線、  １０…ステータ鉄心、  １１…絶縁用部材、  ２１…トランス巻線用ボビン、  ２３…かしめ端子用穴付き絶縁物
【図１】
0004348668.tif 000002
【図２】
0004348668.tif 000003
【図３】
0004348668.tif 000004
【図４】
0004348668.tif 000005